(57)【特許請求の範囲】
【請求項１】
複数のモジュラージャックが並べて配置された並設面を備えた電子機器に取付構造を介して取付けられるモジュラージャック用カバーであって内空状に形成されており、
並設面から突出する箱形状の本体を備え、
本体には狭口部が形成され、狭口部はモジュラージャックに装着されるモジュラープラグごとに接続されたコードを挿通可能とし、且つモジュラープラグを挿通不可能とする大きさに設定され、
本体は、狭口部を分割する複数の分割部材の組合せにより構成され、複数のモジュラージャックのうちの少なくとも１個に被せられるよう、電子機器に取付けられることを特徴とするモジュラージャック用カバー。
【請求項２】
分割部材どうしを組合せた状態として電子機器に取付けられることで、分割部材どうしが組付けられる請求項１記載のモジュラージャック用カバー。
【請求項３】
本体は複数のモジュラージャックの全部に被せられるよう構成されている請求項１または請求項２に記載のモジュラージャック用カバー。
【請求項４】
本体はモジュラージャックに被せられた状態で並設面から前方へ突出し、狭口部は本体の前部に配置されている請求項１ないし請求項３の何れか１項に記載のモジュラージャック用カバー。
【請求項５】
本体は狭口部に近い程すぼめられている請求項１ないし請求項４の何れか１項に記載のモジュラージャック用カバー。
【発明の詳細な説明】
【技術分野】
【０００１】
本発明は、ハブ等の電子機器に形成されたモジュラージャックの不正使用を防止するためのモジュラージャック用カバーに関する。
【背景技術】
【０００２】
電子機器として、例えばハブのようにモジュラージャックを複数備えるものがある。これらモジュラージャックには、それぞれモジュラープラグが取付け可能である。しかしながら、このように複数のモジュラージャックを備える電子機器では、使用されていないモジュラージャックが生じる場合があり、そのモジュラージャックは使用されてしまい易く、電子機器のセキュリティ性が低い。
【０００３】
そこで、下記特許文献１のように、複数のモジュラージャックを備える電子機器において、使用されていないモジュラージャックが不正に使用されないようにガードする接続防護キャップが提案されている。
【先行技術文献】
【特許文献】
【０００４】
【特許文献１】特開２０１０−１８２６８９号公報
【発明の概要】
【発明が解決しようとする課題】
【０００５】
しかしながら、上記従来の接続防護キャップは帯状に形成され、モジュラージャックの前側に隙間を介して配置されるものである。このように帯状の接続防護キャップをモジュラージャックの前側に隙間を介して配置するので、モジュラージャックに手指を接触させ易く、悪戯などによって接続防護キャップが変形させられたり、損傷させられたりし易く、そうなると使用されていないモジュラージャックが不正に使用され易く、電子機器のセキュリティ性の向上が実現できない。
【０００６】
そこで本発明は、モジュラージャックを備えた電子機器のセキュリティ性を向上させ得るモジュラージャック用カバーの提供を目的とする。
【課題を解決するための手段】
【０００７】
本発明は、複数のモジュラージャックが並べて配置された並設面を備えた電子機器に取付構造を介して取付けられるモジュラージャック用カバーであって内空状に形成されており、並設面から突出する箱形状の本体を備え、本体には狭口部が形成され、狭口部はモジュラージャックに装着されるモジュラープラグごとに接続されたコードを挿通可能とし、且つモジュラープラグを挿通不可能とする大きさに設定され、本体は、狭口部を分割する複数の分割部材の組合せにより構成され、複数のモジュラージャックのうちの少なくとも１個に被せられるよう、電子機器に取付けられることを特徴とする。また、本発明のモジュラージャック用カバーは、分割部材どうしを組合せた状態として電子機器に取付けられることで、分割部材どうしが組付けられる構成を採用できる。
【０００８】
上記構成のモジュラージャック用カバーは、箱形状の本体がモジュラージャックに被せられるもので、狭口部はモジュラープラグに接続されたコードを挿通可能とし、且つモジュラープラグを挿通不可能とする大きさに設定されているから、使用していないモジュラージャックにアクセスできず、使用していないモジュラージャックにモジュラープラグを挿し込んで使用するということができない。
【０００９】
また、上記構成のモジュラージャック用カバーは、電子機器のモジュラージャックにモジュラープラグを挿し込んだ状態で、モジュラージャックに被せるよう電子機器に取付けられる。すなわち、分割部材どうしを組合せていない状態で、モジュラージャックに挿し込まれたモジュラープラグに接続されたコードを、分割部材における狭口部の相当部分に位置合わせたうえで、狭口部が形成されるよう分割部材どうしを組合せて本体とし、これを電子機器に取付ける。
【００１０】
本発明のモジュラージャック用カバーでは、本体は電子機器に備えられた複数のモジュラージャックの全部に被せられる構成を採用できる。この構成によれば、モジュラープラグが挿し込まれて使用されているモジュラージャックから、そのモジュラープラグが抜き取られないし、使用していないモジュラージャックにモジュラープラグを挿し込むこともできない。
【００１１】
本発明のモジュラージャック用カバーでは、本体はモジュラージャックに被せられた状態で並設面から前方へ突出し、狭口部は本体の前部に配置されている構成を採用できる。この構成によれば、本体が並設面から前方へ突出している分だけ、狭口部からモジュラージャックまでの距離が遠くなるから、使用していないモジュラージャックにアクセスがしにくい。
【００１２】
本発明のモジュラージャック用カバーでは、本体は狭口部に近い程すぼめられている構成を採用できる。この構成によれば、モジュラージャック用カバー全体の大型化を抑制できるとともに、製造のための材料の使用量を抑えて製造コストの高騰を抑えられる。
【発明の効果】
【００１３】
本発明のモジュラージャック用カバーによれば、モジュラージャックに被せられるものは箱形状の本体であり、狭口部はモジュラープラグに接続されたコードを挿通可能とし、且つモジュラープラグを挿通不可能とする大きさに設定されているから、使用していないモジュラージャックにアクセスできず、モジュラープラグを挿し込んで使用するということができないから、電子機器のセキュリティ性を向上させることができる。
【図面の簡単な説明】
【００１４】
【図１】本発明の第一の実施形態に係るカバーを電子機器に取付ける前の斜視図である。
【図２】同カバーの後方からの斜視図である。
【図３】同カバーの正面図である。
【図４】同カバーの背面図である。
【図５】同カバーの左右方向中心線（図３におけるＡ−Ａ線）での、一部省略断面矢視図である。
【図６】同カバーを電子機器に取付けた状態の平面図である。
【図７】同カバーの上分割部材と下分割部材とを分割した状態の正面図である。
【図８】本発明の第二の実施形態に係るカバーの正面図である。
【図９】同カバーの左右方向中心線（図８におけるＢ−Ｂ線）での端面図である。
【図１０】本発明の第三の実施形態に係るカバーの正面図である。
【図１１】同カバーの背面図である。
【図１２】同カバーの左右方向中心線（図１０におけるＣ−Ｃ線）での端面図である。
【図１３】他の実施形態に係るカバーの平面断面図である。
【図１４】同カバーの側面断面図である。
【発明を実施するための形態】
【００１５】
以下、図面を参照しつつ本発明のモジュラージャック用カバーについて説明する。まず、図１ないし図７を参照しつつ、本発明の第一の実施形態に係るモジュラージャック用カバー（以下、単に「カバー」と称する）１を説明する。図１に示すように、カバー１は、並設された複数のモジュラージャック２Ａ，２Ｂ，２Ｃ，２Ｄ，２Ｅ，２Ｆ，２Ｇ，２Ｈを備える電子機器（この場合は「ハブ」）３において、全てのモジュラージャック２Ａ〜２Ｈ（モジュラージャック部分）に被せるようにして、電子機器３に取付けられる（固定される）。カバー１は、モジュラージャック２Ａ〜２Ｈに被せるようにして、電子機器３において使用していないモジュラージャック２Ａ〜２Ｈを不正に使用できないようにするためのものである。
【００１６】
本実施形態では、電子機器３は、直方体形状に形成されている。電子機器３はモジュラージャック２Ａ〜２Ｈを並設した並設面３Ａを備える。並設面３Ａは、モジュラージャック２Ａ〜２Ｈを並設した前面であることから、並設面３Ａを以下では前面３Ａと称する。この前面３Ａは、正面視して矩形に形成されている。モジュラージャック２Ａ〜２Ｈは、電子機器３の前面３Ａの一方側寄りにまとめて配置されている。本実施形態では、モジュラージャック２Ａ〜２Ｈは、前面３Ａに８個、横並びに並設されている。
【００１７】
カバー１は、モジュラージャック２Ａ〜２Ｈの全部に被せられるよう構成されている。カバー１は本体を備え、本体は装着部４と、延長部５とを備えている。カバー１は全体として箱状に形成されている。具体的に、カバー１は内空の四角錐台形状に形成されている。カバー１は、硬質の合成樹脂により形成されている。
【００１８】
図１および図６に示すように、装着部４は、電子機器３（この場合、前面３Ａ）に直接的に接触（当接）して装着される部分である。装着部４は、前面３Ａの縁形状に応じた形状とされている。この場合では、図１および図２に示すように、装着部４は、上枠部、下枠部、および左右一対の横枠部から、全体として矩形枠状に形成されている。装着部４において、上枠部、下枠部、および左右一対の横枠部のそれぞれの外面は平坦面に形成されている。
【００１９】
装着部４の上下高さは、電子機器３の前面３Ａの上下高さに略等しく設定されている。装着部４の左右幅は、少なくともモジュラージャック２Ａ〜２Ｈの全部を包含する幅に設定されている。換言すれば、装着部４の左右幅は、モジュラージャック２Ａ〜２Ｈが形成された領域部分の左右幅を包含するよう設定されている。この場合、装着部４の左右幅は、電子機器３の前面３Ａにおいて、一方寄りにある電源ジャック（図示せず）は覆わないよう設定されている。
【００２０】
図１，２，５に示すように、延長部５は、装着部４から延長して形成されている。具体的に延長部５は、装着部４から前方に向けて（モジュラージャック２Ａ〜２Ｈに対して前方に離れる方向に向けて）延長され、四角錐台形状に形成されている。延長部５は、平板状の上壁６、下壁７、左右の側壁８，９を備えている。延長部５は、前壁１０をさらに備えている。
【００２１】
上壁６は、前方ほど下方に向けて傾斜して形成されている。下壁７は、前方ほど上方に向けて傾斜して形成されている。側壁８，９どうしは前方ほど互いに接近するよう傾斜して形成されている。前壁１０は、上壁６、下壁７、および側壁８，９の前端部で四方を囲繞されている。前壁１０は、カバー１が電子機器３に取付けられた状態で電子機器３の前面３Ａに平行となる。これらの壁により、延長部５は、先端ほどすぼめられた四角錐台形状に形成されている。
【００２２】
図１，３，４に示すように、前壁１０には、狭口部１３が形成されている。狭口部１３は、モジュラープラグ１１に接続されたコード１２を挿通可能で、モジュラープラグ１１を挿通不可能（ユーザーの手指の挿通も防止する）大きさに設定されている。また、モジュラープラグ１１の方向如何にかかわらず、狭口部１３にモジュラープラグ１１は挿通不可能である。狭口部１３は、前壁１０の全部ではなく、前壁１０の一部を穿つようにして形成されている。
【００２３】
本実施形態では、狭口部１３は前壁１０の左右に振り分けられており、それぞれ左右方向を長径とする細長い楕円形状に形成されている。狭口部１３の間は、前壁１０の分離部１４とされている。各狭口部１３の側部および上下部は、前壁１０の縁部１５とされている。図２，４，５に示すように、分離部１４の裏側に対応する位置に、補強リブ１６が形成されている。
【００２４】
図２，３，４，６に示すように、側壁８，９には、取付具であるねじ１７を挿通するねじ孔１８と、ねじ１７をねじ孔１８に案内する案内路１９が形成されている。側壁８，９の内面にねじ孔形成用のボス部２０が形成され、ねじ孔１８は、ボス部２０に形成されている。ねじ孔１８は、側壁８，９に、その前後方向に沿うよう形成されている。案内路１９は側壁８，９の表面に形成されている。側壁８，９は傾斜していることで、ねじ１７が挿通される実質的な距離を短くできている。
【００２５】
図７に示すように、前記本体は、複数の分割部材を組合せる（組付ける）ことで構成されている。本実施形態では、二分割された一方の分割部材および他方の分割部材を組合せることで一体的に形成されている。この場合、分割部材は上分割部材２１と下分割部材２２とを備える。図１、図７に示すように、上分割部材２１および下分割部材２２の分割面２３，２４，２５は、装着部４、側壁８，９、および前壁１０に亘って連続して形成されている。
【００２６】
装着部４の分割面２３は、前後に配置した水平面どうしを垂直面で連続させた段付面形状である。図２，４，７に示すように、装着部４の背面において、ボス部２０に後方から当接するよう重ねられて、ねじ孔１８（１８ａ）の一部を構成する当接部２６が形成されている。当接部２６の背面は、装着部４の背面と面一にある（当接部２６の背面は、装着部４の背面の一部である）。装着部４の分割面２３は、当接部２６の側面形状に倣って形成されている。
【００２７】
側壁８，９の分割面２４は、前後方向の水平面である。この分割面２４は、装着部４の分割面２３のうち前方の水平面に連続しているため、側壁８，９の下寄りの位置に形成されている。前壁１０の縁部１５における分割面２５は、左右に配置した水平面と、該水平面どうしを連続する垂直面との組合わせで形成されている。前壁１０の分離部１４における分割面２５は、上下方向の中心に配置された水平面とされている。狭口部１３は、前壁１０の上下方向中心位置に配置されている。すなわち、分割面２５は狭口部１３を上下方向中心位置で分割する面でもある。
【００２８】
図４および図５に示すように、補強リブ１６は、上分割部材２１に形成された上リブ２７と、下分割部材２２に形成された下リブ２８の組合わせから構成されている。補強リブ１６は、カバー１の左右方向中心に位置付けられている。上リブ２７は、上リブ本体２９および嵌合部である凸起３０を一体的に備えている。上リブ本体２９は、上分割部材２１の上壁６の裏面（内面）に、該裏面の傾斜方向に沿う前後方向に亘って、下方に突出する壁状に形成されている。但し、上リブ本体２９は装着部４には至らない。凸起３０は、前壁１０の裏面の下方寄りにあって、該裏面から後方へ突出して形成されている。凸起３０は円柱状に形成されている。
【００２９】
下リブ２８は、下リブ本体３１、および凸起３０に嵌合する被嵌合部である孔部を一体的に備えている。下リブ本体３１は、下分割部材２２の下壁７の裏面（内面）に、該裏面の傾斜方向に沿う前後方向に亘って、上方に突出する壁状に形成されている。但し、下リブ本体３１は装着部４には至らない。
【００３０】
上壁６の裏面からの上リブ本体２９の高さと、下壁７の裏面からの下リブ本体３１の高さとでは、下リブ本体３１のほうが高く設定されている。孔部は、前壁１０の裏面にあって、下リブ本体３１の上方への延長部分３３と、延長部分３３からさらに上方に延長されて凸起３０に嵌合する嵌合孔３４が形成された有孔片３５とを備える。有孔片３５は、凸起３０に後方から嵌合する部分である。なお、嵌合孔３４の前後方向長さは、凸起３０の前後方向長さに比べて長く設定されている。
【００３１】
図１および図６に示すように、カバー１と電子機器３とは、取付構造を介して互いに取付けられる。取付構造は、カバー１側と電子機器３側に振り分けて設けられている。具体的には、取付構造は、カバー１側のねじ孔１８と、ねじ孔１８に前方から後方へ向けて挿入されるねじ１７と、電子機器３側の取付孔３６とを備える。
【００３２】
取付孔３６は、左右外側端のモジュラージャック２Ａ，２Ｈのさらに外側に形成されている。取付孔３６は前面３Ａの上下方向略中央に配置され、取付孔３６の左右方向の離間距離は、ねじ孔１８の離間距離に等しく設定されている。このように、電子機器３はカバー１の取付構造としての取付孔３６を備えたものである。
【００３３】
上記構成の電子機器３およびカバー１は、好ましくは、セット品として量販店等の店頭で販売され、あるいは通信販売等に供される。図１に示すように、上記構成のカバー１は、電子機器３のモジュラージャック２Ａ〜２Ｈ（例えば使用するモジュラージャック２Ａ）に、モジュラープラグ１１を挿し込んだ状態で、モジュラージャック２Ａ〜２Ｈに被せるようにして電子機器３に取付けられる。
【００３４】
すなわち、図７に示すように、上分割部材２１、下分割部材２２どうしをまだ組付けていない状態で、モジュラージャック２Ａに挿し込まれたモジュラープラグ１１に接続されたコード１２を、上分割部材２１、下分割部材２２における狭口部１３の相当部分（符号１３Ａ参照）に位置合わせしたうえで、狭口部１３が形成されるよう上分割部材２１、下分割部材２２どうしを組付けて、これが電子機器３に取付けられる。
【００３５】
さらに具体的に、モジュラージャック２Ａに、モジュラープラグ１１を挿し込んだ状態で、コード１２を、上分割部材２１、下分割部材２２における狭口部１３の相当部分１３Ａに位置合わせし、上分割部材２１の分割面と下分割部材２２の分割面とが当接するように、且つ下分割部材２２の当接部２６が上分割部材２１のボス部２０に後方から当接してねじ孔１８（１８ａ）どうしが連通するよう、さらに、上分割部材２１の凸起３０に、下分割部材２２の有孔片３５の嵌合孔３４が嵌合するよう、上分割部材２１に対してその後方から下分割部材２２を組付ける。
【００３６】
凸起３０と嵌合孔３４とが嵌合することにより、上分割部材２１および下分割部材２２が組付けられて、カバー１として構成される。上分割部材２１および下分割部材２２が組付けられてカバー１となると、カバー１の前壁１０に、狭口部１３が形成され、コード１２のみが狭口部１３に挿通した状態となる。
【００３７】
カバー１は、電子機器３の前面３Ａに取付構造を用いて電子機器３に取付けられる。具体的には、カバー１側のねじ孔１８にその前方から後方へ向けてねじ１７を挿入してこれを電子機器３側の取付孔３６に螺合することで、カバー１を電子機器３の前面３Ａに、隙間なく密に、強固に取付けることができる（固定することができる）。すなわち、カバー１はねじ１７を緩めることでのみ、電子機器３の前面３Ａから取外すことができる状態となる。
【００３８】
装着部４の上下高さは、電子機器３の前面３Ａの上下高さに略等しく設定されている。装着部４の左右幅は、モジュラージャック２Ａ〜２Ｈの全部を包含し、モジュラージャック２Ａ〜２Ｈが形成された領域部分の左右幅を包含するよう設定されている。このため、カバー１を電子機器３の前面３Ａに取付けると、全てのモジュラージャック２Ａ〜２Ｈにカバー１が被せられた状態となる。
【００３９】
モジュラージャック２Ａにのみモジュラープラグ１１が挿し込まれており、他のモジュラージャック２Ｂ〜２Ｈには、モジュラープラグ１１は挿し込まれていない状態では、モジュラージャック２Ｂ〜２Ｈに、他のモジュラープラグ１１が装着される可能性がある。
【００４０】
しかしながら、カバー１は全てのモジュラージャック２Ａ〜２Ｈを覆っており、狭口部１３は、モジュラープラグ１１に接続されたコード１２を挿通可能で、モジュラープラグ１１を挿通不可能な（ユーザーの手指の挿通も防止する）大きさに設定されている。このため、モジュラープラグ１１が挿し込まれていないモジュラージャック２Ｂ〜２Ｈが存在しても、モジュラージャック２Ｂ〜２Ｈにモジュラープラグ１１を挿し込むことはできない。よって、モジュラージャック２Ｂ〜２Ｈにモジュラープラグ１１が挿し込まれて不正に使用されるのを防止することができる。
【００４１】
カバー１は硬質の合成樹脂により箱状に形成されていて、分離部１４の裏側に対応する位置に補強リブ１６が形成されている。さらにカバー１は、カバー１側のねじ孔１８にその前方から後方へ向けてねじ１７を挿入してこれを電子機器３側の取付孔３６に螺合することで、電子機器３の前面３Ａに隙間なく密に、強固に取付けられている。
【００４２】
このような構成によれば、カバー１そのものは外力に充分に抵抗できるから破壊や損傷がされにくく、しかもカバー１を電子機器３から取外すことも容易ではない。したがって、モジュラープラグ１１が挿し込まれていないモジュラージャック２Ｂ〜２Ｈが存在しても、カバー１を破壊したり取外したりしてモジュラージャック２Ｂ〜２Ｈにモジュラープラグ１１を挿し込むことはできない。よって、モジュラージャック２Ｂ〜２Ｈにモジュラープラグ１１が挿し込まれて不正に使用されるのを抑制することができる。
【００４３】
しかも、本体は並設面３Ａから前方へ突出している分だけ、狭口部１３からモジュラージャック２Ｂ〜２Ｈまでの距離が遠くなる。このため、使用していないモジュラージャック２Ｂ〜２Ｈにアクセスがしにくい。
【００４４】
また、カバー１の前壁１０に形成された狭口部１３は、人の手指の挿通を防止する大きさである。このため、既にモジュラージャック２Ａに挿し込まれているモジュラープラグ１１を、モジュラージャック２Ａから抜くこともできない。
【００４５】
延長部５は、角錐台形状に形成されて先側がすぼんでおり、その分だけ前壁１０の面積は装着部４に比べて小さく、狭口部１３の周囲は縁部１５とされる。このような形態では、面積と厚みの関係から（面積と厚みの比が近いため）、縁部１５は非常に強固になる。このため狭口部１３を広くするようこじ開けることは難しく、この点においても、モジュラージャック２Ｂ〜２Ｈにモジュラープラグ１１が挿し込まれて不正に使用されるのを抑制することができる。
【００４６】
本実施形態のカバー１では、コード１２は狭口部１３に挿通された状態で、狭口部１３（狭口部１３の縁）で保持される。そして、狭口部１３は延長部５の先端部にある。すなわち、コード１２はモジュラープラグ１１からカバー１のほぼ前後幅だけ離れた位置で保持されるとともに、コード１２の上下左右方向の可動範囲は、狭口部１３の領域（範囲）となる。したがって、コード１２におけるモジュラープラグ１１との接続部分が大きく折曲げられる（極端に折曲げられる）状態を回避できるため、コード１２、特にモジュラープラグ１１との接続部分を損傷から保護できる。
【００４７】
さらに、カバー１は、モジュラージャック２Ａ〜２Ｈに被せるようにして電子機器３に取付けられる。このため、モジュラージャック２Ａ〜２Ｈ（特に使用していないモジュラージャック）に周囲の塵芥が付着するのを防止することができる。
【００４８】
上記したカバー１の使用方法では、モジュラージャック２Ａにのみモジュラープラグ１１を挿し込み、そのコード１２を狭口部１３に挿通して保持するという例を説明した。しかしながら、モジュラージャック２Ａ〜２Ｈのうちの複数に、それぞれモジュラープラグ１１を挿し込み、これらモジュラープラグ１１のコード１２（複数本のコード１２）を狭口部１３に挿通して保持するというカバー１の使用方法も可能である。このような場合、モジュラープラグ１１は、各狭口部１３に振り分けて挿通するようにできる。
【００４９】
本実施形態によるカバー１を取付けることなく、複数のモジュラージャック２Ａ〜２Ｈにモジュラープラグ１１を挿し込むと、それらのコード１２が乱雑になり易い。しかしながら、本実施形態におけるカバー１では、狭口部１３という限られた領域内にコード１２がまとめられることになる。このため、複数本のコード１２が乱雑な状態になるのを防止することができる。
【００５０】
次に、図８および図９を参照して、本発明の第二の実施形態に係るカバー１を説明する。第二の実施形態に係るカバー１が第一の実施形態に係るカバー１と異なる部分は、狭口部１３の形状、カバー１全体の高さ、および補強リブ１６である。他の部分の構成については、第一の実施形態と同一の符号を付し、説明を繰り返さない。
【００５１】
第二の実施形態のカバー１に形成された狭口部１３は左右に振り分けられ、それぞれ正面視して縁が左右方向を長手方向とするジグザグ状に形成されている。狭口部１３の間には、分離部１４が形成され、狭口部１３の周囲には縁部１５が形成されている。各狭口部１３は、コード１２は挿通可能で、モジュラープラグ１１は挿通不可能な広さに設定されている。また、各狭口部１３の上縁、下縁には、複数個の尖端部１３ａが所定間隔置きに形成されている。縁が左右方向を長手方向とするジグザグ状に形成されていても、モジュラープラグ１１の方向如何にかかわらず、狭口部１３にはモジュラープラグ１１は挿通不可能である。
【００５２】
第二の実施形態におけるカバー１の高さは、第一の実施形態におけるカバー１の高さに比べて高く設定されている。これは、第二の実施形態におけるカバー１を取付ける電子機器３の高さが、第一の実施形態における電子機器３の高さに比べて高いからである。
【００５３】
第一の実施形態では、補強リブ１６における上リブ２７の上リブ本体２９の高さと、下リブ２８の下リブ本体３１の高さとでは、下リブ本体３１のほうが上リブ本体２９よりも高く設定されている。これに対し、第二の実施形態では、図９に示すように、補強リブ１６における上リブ２７の上リブ本体２９の高さと、下リブ２８の下リブ本体３１の高さとが略等しく設定されている。これは、第二の実施形態におけるカバー１の高さが、第一の実施形態におけるカバー１の高さに比べて高く設定されているからである。そして、凸起３０を備えていても、カバー１の高さが高くなった分だけ、上リブ本体２９の高さを高くすることができている。上リブ本体２９の高さが高くなった分だけ、カバー１全体の強度を確保することができる。
【００５４】
第二の実施形態におけるカバー１の狭口部１３は、横長のジグザグ状に形成されているから、仮に狭口部１３に手指を挿入しようとすると、狭口部１３の尖端部１３ａに手指が当たって狭口部１３にはいっそう手指を挿入しにくく、モジュラージャック２Ｂ〜２Ｈにモジュラープラグ１１が挿し込まれて不正に使用されるのを抑制することができる。
【００５５】
次に、図１０ないし図１２を参照して、本発明の第三の実施形態に係るカバー１を説明する。第三の実施形態に係るカバー１が第一の実施形態のカバー１と異なる部分は、カバー１全体の左右幅、狭口部１３、および補強リブ１６の構成である。このため、他の構成部分については同一の符号を付し、説明を繰り返さない。
【００５６】
第三の実施形態におけるカバー１の左右幅は、第一のカバー１全体の左右幅に比べて長く設定されている。これは、第三の実施形態におけるカバー１を取付ける電子機器３の左右幅が、第一の実施形態における電子機器３の左右幅に比べて長いからである。具体的には、本実施形態における電子機器３の前面３Ａには、図示しないが、左右方向に１２個並べられたモジュラージャックが、上下二段で配置されることで、合計２４個のモジュラージャックを備えている。
【００５７】
図１０および図１１に示すように、狭口部１３は、前壁１０に振り分けて３個形成されている。一つ一つの狭口部１３の形状は第二の実施形態のカバー１における狭口部１３と同様であるので、同一の符号を付してその説明を繰り返さない。各狭口部１３の間には分離部１４が形成され、狭口部１３の周囲には縁部１５が形成されている。
【００５８】
第三の実施形態におけるカバー１では、図１１に示すように、補強リブ１６が２個形成されている。これら補強リブ１６は、カバー１の左右幅を略三等分する位置に配置されている。各補強リブ１６の基本的な構成は第一の実施形態と同様であるが、図１２に示すように、断面形状においては、第二の実施形態と同様に、上リブ２７の上リブ本体２９の高さと、下リブ２８の下リブ本体３１の高さとが略等しく設定されている。
【００５９】
本発明は上記各実施形態に限定されず、本発明の範囲内で種々変更が可能である。例えば、上記各実施形態ではカバー１は先端側ほどすぼむような角錐台形状に形成された例を示した。しかしながら、図１３および図１４に示すように、延長部５は装着部４から前方に突出する直方体形状の箱型に形成されていてもよい。この場合、狭口部１３は、コード１２を挿通可能で、モジュラープラグ１１および手指は挿通不可能な大きさに設定される。
【００６０】
カバー１と電子機器３の取付構造についても、特に限定されるものではない。図１３および図１４に示すカバー１では、装着部４は延長部５の基端部分に、延長部５の外側に突出する矩形枠状に形成されており、ねじ１７は装着部４に形成されたねじ孔１８を挿通させて、電子機器３の前面３Ａに形成された取付孔（図示せず）に螺合させるようにしてもよい。また、図示しないが取付構造として、ねじ１７、ねじ孔１８の代わりに、凸部とこれが嵌合する嵌合孔であってもよい。
【００６１】
さらに他の実施形態として、取付孔を、電子機器の前面ではなく電子機器の上面、下面に形成し、ねじ孔を、カバーの側壁ではなく装着部の上下部を上面、下面に至るよう後方に延長してその延長部分に形成し、ねじ孔および取付孔にねじを挿通螺合するようにして、カバーを電子機器に取付けることもできる。この場合でも、カバーは、電子機器の並設面（モジュラージャック）に被されるが、カバーの直接的な装着面は電子機器の上面、下面となる。すなわちカバーは、使用していない１個または複数個（全部を含む）のモジュラージャックに被せることを条件として、電子機器の他の面に取付けるよう構成されていてもよい。
【００６２】
上記各実施形態では、カバー（本体）は電子機器の前面から前方に向けて突出する箱状に形成した。しかしながら、図示しないが、カバーは先端側（狭口部側）が上方や側方に向けて延長された箱形状に形成されていてもよい。上記各実施形態では、狭口部は延長部の先端側に形成したが、例えば狭口部は、延長部の前後方向途中部分（例えば、上壁や下壁）に形成することもできる。カバー１は、狭口部１３を横方向で分割する分割部材の組合わせに限定されず、狭口部１３を縦方向で分割する分割部材の組合わせによって構成してもよい。
【００６３】
電子機器は、直方体形状に限定されず、例えばその前面が湾曲面であるような電子機器にも適用可能である。この場合、装着部も湾曲面に倣う形状にするなどすれば、上記各実施形態と同様の作用効果を奏し得る。そしてこのような電子機器は、ハブに限定されず、複数個並設されたモジュラージャックを備えた電子機器であれば、本発明のカバーを適用することができる。
【００６４】
また、狭口部を開閉自在に覆うようにした被覆部材を設けることもできる。具体的に、被覆部材を、合成ゴム等の変形自在な材料により形成し、コードを狭口部に通すと、コードによって押されることで被覆部材が弾性変形して狭口部を一部開放し、他の部分は閉じているように構成することもできる。この構成によれば、狭口部のほとんどが閉じられるから、モジュラージャックに塵芥が付着するのを効果的に抑制できる。
【符号の説明】
【００６５】
１…カバー、２Ａ〜２Ｈ…モジュラージャック、３…電子機器、３Ａ…前面、４…装着部、５…延長部、６…上壁、７…下壁、８，９…側壁、１０…前壁、１１…モジュラープラグ、１２…コード、１３…狭口部、１４…分離部、１８…ねじ孔、２１…上分割部材、２２…下分割部材、３６…取付孔
【図１】
0005986960.tif 000002
【図２】
0005986960.tif 000003
【図３】
0005986960.tif 000004
【図４】
0005986960.tif 000005
【図５】
0005986960.tif 000006
【図６】
0005986960.tif 000007
【図７】
0005986960.tif 000008
【図８】
0005986960.tif 000009
【図９】
0005986960.tif 000010
【図１０】
0005986960.tif 000011
【図１１】
0005986960.tif 000012
【図１２】
0005986960.tif 000013
【図１３】
0005986960.tif 000014
【図１４】
0005986960.tif 000015